(57)【要約】【課題】インクジェットプリンタでは比較的高速にカラー記録する場合、同一の記録位置に複数色のインクを重ねて吐出（記録）すると、直後に重ねられたインクは受容層に浸透しにくく周囲に滲んで、あたかも記録位置がずれているように見える。とりわけ用紙の搬送速度が速いラインプリンタ等では上記のような重ね打ちの時間的な間隔が小さいため、滲みが発生しやすい。【問題を解決する為の手段及び作用】本発明の記録装置は、重ね打ち部分を検知し、重ねて記録するインクの吐出量を１画素単位に減らすようにするか、又は重ね領域の輪郭部だけ吐出量を減らす方法もある。【選択図】　　図１
2004142145.tif 000002
【特許請求の範囲】
【請求項１】
記録媒体に複数のノズルからインク滴を吐出することにより画像を記録する記録ヘッドと、前記記録媒体を搬送する搬送手段を有する記録装置において、
前記記録媒体の同一記録位置に複数のインク滴が重ねて吐出されるか否かを検知する重ね打ち検知手段と、前記重ね打ち検知手段の検知結果に基づいて、前記インク滴を制御する制御手段を備えたことを特徴とする記録装置。
【請求項２】
前記重ね打ち検知手段は１画素毎に検知することを特徴とする請求項１に記載の記録装置。
【請求項３】
前記重ね打ち検知手段は搬送方向下流側に配置された記録ヘッドに対応して設けることを特徴とする請求項１及び２に記載の記録装置。
【請求項４】
前記重ね打ち検知手段は記録データを記憶するメモリと同等な領域を持つメモリを含むことを特徴とする請求項１から３に記載の記録装置。
【請求項５】
前記重ね打ち検知手段は重ね打ちする記録色により検知方法が異なることを特徴とする請求項１から４に記載の記録装置。
【請求項６】
前記制御手段は重ね打ちする画素に対する駆動パルスを制御することを特徴とする請求項１から５に記載の記録装置。
【請求項７】
前記制御手段は重ね打ちするインク滴を小さくするように制御することを特徴とする請求項１から６に記載の記録装置。
【請求項８】
前記制御手段は重ね打ちする記録領域の輪郭部に相当する画素のインク滴を小さくするように制御することを特徴とする請求項１から７に記載の記録装置。
【請求項９】
前記制御手段は重ね打ちするインク滴の大きさを記録媒体の種類により変更することを特徴とする請求項１から８に記載の記録装置。
【請求項１０】
前記制御手段はノズル毎に設けられたノズルヒータを加熱する駆動パルスを制御することを特徴とする請求項１から９に記載の記録装置
【発明の詳細な説明】
【０００１】
【発明の属する技術分野】
本発明は、ノズルからインクを吐出する記録ヘッドにより画像を形成する記録装置に関するものである。
【０００２】
【従来の技術】
ＰＣ上で作成、編集されたＲＧＢの画像データはプリンタドライバによって、プリンタが有する記録ヘッドに対応した例えばＹＭＣＫのデータに変換されてプリンタに送られる。（淡Ｃ、淡Ｍインクを使用する事もある。この時はＹＭＣＫ、ＬＣ、ＬＭの６色のデータに変換されプリンタに送られる）。
【０００３】
従来、比較的高速にカラー記録する記録装置では、記録ヘッドは例えば用紙搬送方向に対して垂直方向（用紙の幅方向）に配置されており、用紙が搬送手段によって記録ヘッドの下を通過する際に、各色の記録ヘッドからインクが選択的に吐出され、画像が形成される。
【０００４】
インクの吐出は、記録ヘッド制御回路からノズル毎に有するノズルヒータに駆動パルスを選択的に印加することによって行なう。
（例えば特許文献１参照）。
【０００５】
【特許文献１】
特許第３１７４２２８号（第１−２頁、図５）
【０００６】
【発明が解決しようとする課題】
しかしながら上記従来例における記録動作では、同一の記録位置に複数色のインクを重ねて吐出（記録）する場合、図１１に示す（例えば、ＭとＹを重ねる）様に最初に記録（印字）したＭ（マジェンタ）インクの上にＹ（イエロー）インクを重ねると後に印字されたＹインクが周囲に滲んで、あたかも記録位置がずれているように見える。
【０００７】
これは先に印字されたＭインクが用紙のインク受容層と結びつき、直後に印字されたＹインクはインク受容層に浸透されにくく周囲に回り込んでしまうからである。
【０００８】
とりわけ用紙の搬送速度が速いラインプリンタ等では上記のような重ね打ちの時間的な間隔が小さいため、滲みが発生しやすい。
【０００９】
本発明では上記のような重ね打ちによるインクの過剰なにじみを低減し、画像品位を向上させる事を目的とする。
【００１０】
【問題を解決する為の手段及び作用】
上記目的を達成する為、本発明のインクジェット記録装置は下記の各手段を実施して重ねて記録するインクの吐出量を一時的に減らすようにした。
【００１１】
記録媒体に複数のノズルからインク滴を吐出することにより画像を記録する記録ヘッドと、前記記録媒体を搬送する搬送手段を有する記録装置において、
前記記録媒体の同一記録位置に複数のインク滴が重ねて吐出されるか否かを検知する重ね打ち検知手段と、前記重ね打ち検知手段の検知結果に基づいて、前記インク滴を制御する制御手段を備えたことを特徴とする記録装置。
【００１２】
前記重ね打ち検知手段は１画素毎に検知することを特徴とする記録装置。
前記重ね打ち検知手段は搬送方向下流側に配置された記録ヘッドに対応して設けることを特徴とする記録装置。
【００１３】
前記重ね打ち検知手段は記録データを記憶するメモリと同等な領域を持つメモリを含むことを特徴とする記録装置。
【００１４】
前記重ね打ち検知手段は重ね打ちする記録色により検知方法が異なることを特徴とする記録装置。
【００１５】
前記制御手段は重ね打ちする画素に対する駆動パルスを制御することを特徴とする記録装置。
【００１６】
前記制御手段は重ね打ちするインク滴を小さくするように制御することを特徴とする記録装置。
【００１７】
前記制御手段は重ね打ちする記録領域の輪郭部に相当する画素のインク滴を小さくするように制御することを特徴とする記録装置。
【００１８】
前記制御手段は重ね打ちするインク滴の大きさを記録媒体の種類により変更することを特徴とする記録装置。
【００１９】
前記制御手段はノズル毎に設けられたノズルヒータを加熱する駆動パルスを制御することを特徴とする記録装置。
【００２０】
【発明の実施の形態】
＜実施例１＞
本発明を実施した記録装置１００とＰＣを接続した構成図を図１−１に示す。
【００２１】
記録装置１００の正面には操作（オペレーション）パネル１０３が装着されており、給紙部１０４には記録媒体であるロール状に巻かれたラベル紙１０５がセットされている。
【００２２】
ホストコンピュータ（ホストＰＣ）１０１と記録装置１００はプリンタケーブル１０２で接続され、ＰＣ１０１上のアプリケーションソフトを実行することで、記録情報を制御コマンドに変換し、記録装置１００に出力する。
【００２３】
本発明を実施した上記記録装置１００の電気的なブロック図を図１−２に示す。
【００２４】
ホストＰＣ１０１は、記録に使用する記録データを記録装置１００のインタフェースコントローラ１１１に転送し、記録開始を指示する。
【００２５】
ＣＰＵ（中央演算処理装置：Ｃｅｎｔｒａｌ　Ｐｒｏｃｅｓｓｉｎｇ　Ｕｎｉｔ）１１０は記録データの受信、記録動作、そして記録媒体（用紙）のハンドリング等記録装置１００全般の制御を掌る演算処理装置である。
【００２６】
ＣＰＵ１１０はホストＰＣ１０１から受信したコマンドを解析後、記録データの各色成分のイメージデータをイメージメモリ１１３にビットマップ展開して描画する。
【００２７】
記録前の動作処理としてＣＰＵ１１０は入出力ポート（Ｉ／Ｏ）１１７、駆動部１１８を介してキャッピングモータ１２０と記録ヘッドＵ／Ｄモータを駆動し、記録ヘッド１２４Ｋ〜１２４Ｙのキャッピングを解除し、記録位置に移動させる。
【００２８】
さらに、駆動部１１８を介してラベル用紙等を繰り出す給紙モータ１２２、及び定速度で用紙を搬送する搬送モータ１２１等を駆動し用紙を記録位置に搬送する。
【００２９】
定速度で搬送される用紙の記録タイミングを決定するための先端検知センサ１１６でラベル先端位置を検出する。
【００３０】
その後用紙搬送に同期して、ＣＰＵ１１０はイメージメモリ１１３から対応する色のイメージデータを順次読み出し、記録ヘッド制御回路１２３を介して、記録ヘッド１０４Ｋ、１０４Ｃ、１０４Ｍ、及び１０４Ｙにデータ転送し、各々の記録ヘッドが持つ多数のノズルから記録データに基づき、選択的にインクを吐出させ、カラー記録する。
【００３１】
ここで、Ｋ：ブラック、Ｃ：シアン、Ｍ：マジェンタ、Ｙ：イエローを意味する。
【００３２】
ＣＰＵ１１０の動作はプログラムＲＯＭ１１２に記憶された処理プログラムに基づき、実行される。
【００３３】
プログラムＲＯＭ１１２には後述する制御フローに対応する処理プログラム及びテーブルなどが記憶されている。
【００３４】
又作業用のメモリとしてワークＲＡＭ１１４を使用する。
【００３５】
ＥＥＰＲＯＭ１１５は不揮発性のメモリで記録ヘッド相互の微小記録位置調整値等、装置固有のパラメータを記憶する。
【００３６】
記録媒体１０５の搬送方向に対する記録ヘッド１２４Ｋ〜１２４Ｙの配置を図２に示す。
【００３７】
搬送方向上流側からブラック１２４Ｋ、シアン１２４Ｃ、マジェンタ１２４Ｍ、イエロー１２４Ｙ、の順序で４本のラインヘッドで構成されている。
【００３８】
記録媒体１０５がこれらの記録ヘッドの下部を等速度で通過すると同時に各々の記録ヘッドから吐出されるインクによりカラー記録される。
【００３９】
記録完了すると記録媒体１０５は排紙口２０１から連続的に排紙される。
【００４０】
図３は本発明の特徴的なイメージメモリ１１３の内部構成を示した図である。
【００４１】
本発明による記録装置１００では記録媒体上の同一記録位置に吐出するインクは原則的に最大２色である。
【００４２】
即ち、一つの記録位置に着目すると
黒　　　　：ブラック
シアン　　：シアン
マジェンタ：マジェンタ
赤（Ｒ）　：マジェンタ、イエローの重ね
緑（Ｇ）　：シアン、イエローの重ね
青（Ｂ）　：シアン、マジェンタの重ね
によって７色を表現する。
【００４３】
プロセスブラック（シアン、マジェンタ、及びイエローを打ち込み、ブラックを表現する）等を用いない理由は高速記録し、且つ記録直後に記録媒体を排紙するので瞬時に定着させたい為である。
【００４４】
本来イメージメモリ１１３は図３の内、ブラック３０１、シアン３０２、マジェンタ（例えば３０３）、イエロー（例えば３０５）、各々１面ずつ持てば良いのであるが、マジェンタ、イエローの２色に関しては夫々、マジェンタ第１メモリ３０３、第２メモリ３０４、そしてイエロー第１メモリ３０５、第２メモリ３０６と各々２面分を備える。
【００４５】
既に（図２で）説明した通り、マジェンタ、イエローの記録ヘッドは搬送方向下流側に配置され、
赤（Ｒ）　：マジェンタ、イエローの重ね
緑（Ｇ）　：シアン、イエローの重ね
青（Ｂ）　：シアン、マジェンタの重ね
の記録時には第２番目の記録色として重ね打ち（重ね印字）される。
【００４６】
従って、マジェンタ、イエローに関しては重ね打ち（重ね印字）か否かを１画素単位に識別するためマジェンタ第２メモリ３０４、イエロー第２メモリ３０６を独立に追加した。
【００４７】
第２メモリの例を図９に示す。
【００４８】
例えばマジェンタ第２メモリであるとすれば、”１”の部分はシアンが記録された上にマジェンタが重ね打ちされることを示し、”０”部はそれ以外を示す。
【００４９】
又、イエロー第２メモリと仮定すれば、”１”の部分はシアン、或いはマジェンタが記録された上にイエローが重ね打ちされることを示し、”０”部はそれ以外を示す。
【００５０】
記録動作に関するＣＰＵ１１０の動作フローを図１４に示す。
【００５１】
ホストＰＣ１０１から記録ヘッドに対応した色毎の記録データを受信するとＣＰＵ１１０は受信した記録データをイメージメモリに展開する（１４０１）。これらの展開動作は高速性が要求されるので、専用のハードロジックで行なうのが一般的である。
【００５２】
次に記録媒体搬送方向下流側に配置されたマジェンタ、イエロー記録ヘッド用の第２メモリ（３０４、３０６）を生成する（１４０２、１４０３）。これら第２メモリの生成方法の詳細は後述する。
【００５３】
記録媒体（ラベル）の先頭が記録ヘッド上流側に配置された先端（ＴＯＦ）検知センサで検知されると（１４０４）、各記録ヘッドの記録切り出し位置が決定され記録動作する（１４０５）。
【００５４】
これら一連の動作を指定枚数分繰り返し（１４０６）、一つのジョブが完了する。
【００５５】
次に搬送方向下流側に配置されたマジェンタ、イエローの第２メモリ生成方法について説明する。
【００５６】
図１５はマジェンタ第２メモリ生成に関する動作フローである。
【００５７】
先ずイメージメモリ１１３領域内のマジェンタ第１と第２メモリ（３０３、３０４）及びシアンメモリ３０２の先頭アドレス（番地）をセットする（１５０１）。
【００５８】
次にマジェンタ第１メモリ、シアンメモリのデータを同時に読み出し（１５０２、１５０３）、各ビット毎のＡＮＤ出力をマジェンタ第２メモリに書き込む（１５０４）。
【００５９】
そして各々のアドレス（番地）をインクリメントして（１５０５）、１５０２，１５０３に戻る。
【００６０】
この操作を画像領域最終アドレス（番地）まで繰り返し（１５０６−Ｙ）、終了する。
【００６１】
即ちマジェンタ第２メモリ３０４内で”１”が書かれた画素部分は、シアンが記録（印字）された上にマジェンタが重ね打ちされることを示す。
【００６２】
続いてイエロー第２メモリ生成に関する動作フローを図１６に示す。
【００６３】
先ずイメージメモリ１１３領域内のイエロー第１と第２メモリ（３０５，３０６）及びシアンメモリ３０２の先頭アドレス（番地）をセットする（１６０１）。
【００６４】
次にイエロー第１メモリ、シアンメモリのデータを同時に読み出し（１６０２、１６０３）、ビット毎のＡＮＤ出力をイエロー第２メモリに書き込む（１６０４）。
【００６５】
そして各々のアドレス（番地）をインクリメントして（１６０５）、１６０２，１６０３に戻る。
【００６６】
この操作を画像領域最終アドレス（番地）まで繰り返す（１５０６−Ｙ）。
【００６７】
この時点でイエロー第２メモリにはシアンに重ねられるイエローの領域が画素単位に識別できた。
【００６８】
次にイエロー第１と第２メモリ（３０５，３０６）、及びマジェンタ第１メモリ（３０３）の先頭アドレス（番地）をセットする（１６０１）。
【００６９】
続いてイエロー第１メモリ、マジェンタ第１メモリのデータを同時に読み出し（１６０８、１６０９）、ビット毎のＡＮＤ出力を一時的にバッファしておき（１６１１）、先に作成したイエロー第２メモリのデータを読み出し（１６１０）、バッファ出力とビット毎のＯＲをとり、イエロー第２メモリを書き直す（１６１２）。
【００７０】
そして各々のアドレス（番地）をインクリメントして（１６１３）、１６０８，１６０９に戻る。
【００７１】
この操作を画像領域最終アドレス（番地）まで繰り返し（１６１４−Ｙ）、終了する。
【００７２】
即ちイエロー第２メモリ内で”１”が書かれた画素部分は、シアン、若しくはマジェンタが記録（印字）された上にイエローが重ね打ちされることを示す。
【００７３】
本実施例ではイエロー記録ヘッド１２４Ｙの上流にシアン、マジェンタと２本の記録ヘッド１２４Ｃ、１２４Ｍが存在し、イエローの場合には双方との組み合わせ（重ね印字）がある為、イエロー第２メモリ３０６の生成方法（図１６）はマジェンタ第２メモリ（図１５）とは異なる。
【００７４】
次に、記録ヘッド１２４Ｋ〜１２４Ｙの内部回路と記録ヘッド制御回路１２３からの制御信号の詳細に関して、図４以降を用いて説明する。
【００７５】
各記録ヘッド（１２４Ｋ〜１２４Ｙ）は例えば同一構造のラインヘッドで、６４０ノズル分を駆動する４つの電気的なモジュール４０１〜４０４（モジュール１〜４）を１列に並べて合計２５６０ノズル分の独立したノズルを選択的に駆動できる。
【００７６】
吐出ノズルの分解能は例えば６００　［ｄｐｉ］　（ドット／インチ）であるので最大の記録幅は約４．３　［ｉｎｃｈ］　である。
【００７７】
モジュール１〜４（４０１〜４０４）には各モジュールを８つのヒート（駆動）ブロックに分割するための信号（ＢＥ０〜ＢＥ２）、さらに奇数ノズル、或いは偶数ノズルを選択する信号（ＯＤＤ、ＥＶＥＮ）、ノズルヒータを駆動するプレヒートパルスの８種類の幅を決定する信号（＊ＰＨＡ〜＊ＰＨＨ）、モジュール１〜４に対応してメインヒートパルスの幅を決定する信号（ＭＨ１〜ＭＨ４）、各モジュール内のシフトレジスタへのデータ信号（ＤＡＴＡ１、ＤＡＴＡ２）、データのシフトクロック信号（ＣＬＫ）、シフトレジスタ出力を各ラッチに取り込ませる信号（ＬＡＴＣＨ、ＬＡＴＣＨＡ）が記録ヘッド制御回路１２３から入力される。
【００７８】
ノズルヒータの駆動パルスは図５の如くプレヒートパルス５０１、ポーズ５０２、及びメインヒートパルス５０３から構成され各々の幅Ｔ１、Ｔ２、Ｔ３は記録ヘッド制御回路１２３で制御する。
【００７９】
プレヒートパルス５０１の幅Ｔ１は１ノズル単位に設定可能で、主としてノズルヒータの抵抗値のバラツキを補正する。Ｔ１が大きくなるとノズルからのインク吐出量は大きくなる傾向にある。
【００８０】
通常プレヒートパルスＴ１のみではノズルからのインク吐出は起こらない範囲内に設定する。
【００８１】
ポーズ５０２の幅Ｔ２はモジュール単位（本実施例では６４０ノズル毎）に設定可能で、ある時間幅範囲内の条件下でＴ２を大きくするとノズルからのインク吐出量は大きくなる傾向にある。
【００８２】
メインヒートパルス５０３の幅Ｔ３もモジュール単位（本実施例では６４０ノズル毎）に設定可能でＴ３が大きくなるに従い、インク吐出量もやはり大きくなる傾向にある。
【００８３】
図４で説明した各モジュール内のヒートブロック構成の詳細を図６に示す。
【００８４】
記録ヘッド内のモジュールは各６４０ノズル分のノズルヒータを駆動可能ではあるが、１つのノズルヒータを駆動すると、例えば１００　［ｍＡ］　程度の電流が流れるので、６４０ノズル全てのノズルを仮に同時に駆動した場合、１モジュール当りの瞬時電流は６４　［Ａ］　、１本の記録ヘッドを４つのモジュールで構成しているので１記録ヘッドの最大瞬時電流は２５６　［Ａ］　もの値となって、現実的でない。
【００８５】
時分割駆動して瞬時的な最大電流値を出来るだけ小さくすれば良いが、記録速度に制限が出るので、適正な分割駆動方法を選択する必要がある。
【００８６】
本実施例では１モジュール（６４０ノズル分）を８つのヒート（駆動）ブロック（ＢＬＯＣＫ１〜８）に分割、さらに奇数ノズルと偶数ノズルを時分割し、１６分割駆動方法を採用した。
【００８７】
従って１モジュールで同時に駆動されるノズル数は最大４０であり、記録ヘッド内では４つのモジュールを並行駆動するので１記録ヘッドで同時に駆動される最大ノズル数は１６０となる。
【００８８】
尚８つのヒート（駆動）ブロック（ＢＬＯＣＫ１〜８）は図６の通り、１２８ノズル毎の各エリア６０１〜６０５に分散されている。
記録ヘッド内部の１モジュールの回路図を図７に、各信号のタイミングチャートを図８に示す。
【００８９】
電源ＯＮ時全てのラッチ７０１〜７０４が零クリアされた後、予めＥＥＰＲＯＭ１１５に記憶されたノズル単位のプレヒートパルス選択データがＤＡＴＡ１、ＤＡＴＡ２を介してラッチ付きシフトレジスタ７０１、７０２にロードされＬＡＴＣＨＡの立ち上がり信号でラッチＡ（７０３）、ラッチＢ（７０４）に取り込まれる（図７参照）。
これらの出力によってセレクタ７０５の選択信号Ａ〜Ｃが確定し、この時点では全セレクタの選択信号：Ｃ＝０なのでセレクタ入力０〜３の何れかが選択される。
【００９０】
つまりプレヒートパルス＊ＰＨＥ、＊ＰＨＦ、＊ＰＨＧ、＊ＰＨＨの何れかがノズル単位に選択される。
【００９１】
これらのプレヒートパルスは図８に示す様にパルス幅が大きい方の４種類に属している。
【００９２】
尚データラインＤＡＴＡ１、ＤＡＴＡ２は例えば記録ヘッドのモジュール（４０１〜４０４）毎に対応して独立に有する。
【００９３】
記録動作が開始されると各記録ヘッド１２４Ｋ〜１２４Ｙには記録ヘッド制御回路１２３から各記録ヘッドのインク色に対応した記録データがＤＡＴＡ１からシフトクロック（ＣＬＫ）信号により順次ＤＡＴＡ１シフトレジスタ７０１にロードされる。
【００９４】
この時、マジェンタの記録ヘッド１２４Ｍとイエローの記録ヘッド１２４Ｙでは図１５、図１６のフローにて生成されたマジェンタ第２メモリ３０４とイエロー第２メモリ３０６の内容に基づく”重ね記録”データがＤＡＴＡ１と同期してＤＡＴＡ２に送られ、ＤＡＴＡ２シフトレジスタ７０２にロードされる。
【００９５】
１ライン分のデータがそろったらＬＡＴＣＨ信号の立ち上がりで７０１，７０２内のラッチに取り込まれる。
【００９６】
”重ね記録”データが”１”の画素の場合、ＤＡＴＡ２シフトレジスタ／ラッチ７０２内のラッチ出力が”１”となりセレクタ７０５の選択信号：Ｃを”０”⇒”１”に変える。
【００９７】
すると該当のノズルのプレヒートパルスはセレクタ７０５によって次の通り変更される。
【００９８】
＊ＰＨＥ⇒＊ＰＨＡ
＊ＰＨＦ⇒＊ＰＨＢ
＊ＰＨＧ⇒＊ＰＨＣ
＊ＰＨＨ⇒＊ＰＨＤ
上記各変換される駆動パルス波形を図１７に示す。
既に説明したように、記録ヘッド製造段階のパラメータ、例えばノズルヒータの抵抗値バラツキにより全てのノズルのプレヒートパルス幅はＰＨＥ、Ｆ，Ｇ，及びＰＨＨの４種類の何れかが選択されるが、第２メモリ内で”１”が書かれた画素、即ち”重ね打ち”する画素の場合、一様にプレヒートパルス幅は狭められるので吐出するインク量が小さくなる（イメージ図：図１２で示した）。
従って、インクの滲みは、従来技術による印字結果（図１１）に比較して改善される。
【００９９】
図８のタイミングチャートに戻り、記録ヘッドの時分割駆動方法を説明する。
【０１００】
記録動作開始後、記録ヘッド制御回路からのＬＡＴＣＨ信号の立ち上がりで、これから記録しようとする１ライン分の記録データがＤＡＴＡ１シフトレジスタ／ラッチ７０１内のラッチに、マジェンタ、イエローの記録ヘッド（１２４Ｍ、１２４Ｙ）ではさらに”重ね記録”か否かのデータがＤＡＴＡ２シフトレジスタ／ラッチ７０２のラッチに取り込まれる。
【０１０１】
その後、ブロック選択信号（ＢＥ０〜ＢＥ２）のデコード信号によってブロック１、２、の順にブロック８まで進む。
【０１０２】
各ブロック選択中に奇数ノズルがＯＤＤ信号によって、偶数ノズルがＥＶＥＮ信号で駆動される。
【０１０３】
結果ブロック１の奇数ノズル、次にブロック１の偶数ノズル、ブロック２の奇数ノズル、−−−、ブロック８の奇数ノズル、ブロック８の偶数ノズルの順序で１６分割駆動される。
【０１０４】
本発明を実施した記録装置１００の記録動作に関して、図１４の動作フローを用いて説明する。
【０１０５】
記録動作の開始指令により先ず各記録ヘッドに対応したイメージメモリの展開処理され（１４０１）、次に”重ね記録”データとして、既に説明した通り図１５のフローにてマジェンタ第２メモリ（１４０２）が、又図１６のフローでイエロー第２メモリが生成される（１４０３）。
【０１０６】
ラベル（記録媒体）の先頭が先端（ＴＯＦ）検知センサ１１６で検知後（１４０４）、記録開始位置が各記録ヘッド下部通過と同時に記録動作は開始される（１４０５）。
【０１０７】
ラベル後端が最下流部に配置された例えばイエローの記録ヘッド１２４Ｙ通過した時点で１枚のカラー記録は完了する。
【０１０８】
指定枚数が終了していなければ１４０１に戻る。
【０１０９】
実際には記録動作と次ページ（ラベル）のイメージメモリ展開は並行処理される。
【０１１０】
＜実施例２＞
実施例１では”重ね記録”データを生成する場合、例えばマジェンタ第１メモリ３０３とシアンメモリ３０２の記録媒体上同一記録位置に該当するメモリ番地内のビット相互を比較し、双方とも”１”（ドットあり）なら第２メモリ３０４の該当記録位置に”１”を書き込みし、図９のような第２メモリを生成したが、”重ね記録”領域全般のマジェンタの吐出量を減らすことになるので色見が変わる懸念が生じる。
【０１１１】
本実施例では”重ね記録”領域の輪郭部分に注目して吐出量を減らすようにした。
【０１１２】
即ち第２メモリ（図９）に相当するデータ生成後、更に隣接する縦横の”重ね記録”データが全て”１”なら注目画素の”重ね記録”データは”１”⇒”０”にする。
【０１１３】
本実施例によって得られた第２メモリ内容を図１０に示す。
【０１１４】
＜その他の実施例＞
使用する記録媒体１０５の種類により重ね記録部分のインク吐出量を変更できるようにする。
【０１１５】
例えば図１３の如くテーブル形式としプログラムＲＯＭ１１２に記憶させる。
【０１１６】
インクの滲み（量）が異なる多種類の記録媒体に対して”重ね打ち”による滲みを各々最適に改善し、より高画質な記録装置を提供できる。
【０１１７】
【発明の効果】
以上説明したとおり本発明の実施によりカラー画像の部分的な滲みを軽減し画質の向上が図れる。
【０１１８】
とりわけラインヘッドを使用し、高速にカラー記録する記録装置ではインク定着性能の面からも好ましい結果が得られるので発明の効果は大である。
【０１１９】
【図面の簡単な説明】
【図１】本発明を実施した記録装置の電気的なブロック図である。
【図２】本発明を実施した記録装置の記録ヘッドの配列を示す図である。
【図３】本発明によるイメージメモリの構成を示す図である。
【図４】本発明による記録ヘッドと制御信号の概略図である。
【図５】本発明によるノズルヒータの駆動パルス波形図である。
【図６】本発明による記録ヘッド内モジュールのブロック構成を示す
図である。
【図７】本発明による記録ヘッドの内部回路図である。
【図８】本発明による記録ヘッドの駆動方法を示すタイムチャートである。
【図９】本発明を実施した記録装置の第２メモリを示す図である。
【図１０】第２実施例による記録装置の第２メモリを示す図である。
【図１１】従来技術によるインクの滲みを示す図である。
【図１２】本発明による重ね記録結果を示すイメージ図である。
【図１３】第３実施例による駆動パルスのテーブルを示す。
【図１４】本発明を実施した記録装置の動作フローチャートである。
【図１５】マジェンタ第２メモリ生成に関する動作フローチャートである。
【図１６】イエロー第２メモリ生成に関する動作フローチャートである。
【図１７】重ね打ちの画素に対する駆動パルスの変換波形である。
【符号の説明】
１００　　記録装置
１０１　　ホストコンピュータ（ホストＰＣ）
１０２　　プリンタ（インタフェース）ケーブル
１０３　　オペレーションパネル
１０４　　給紙部
１０５　　記録媒体
１１０　　ＣＰＵ（中央演算処理装置）
１１１　　インタフェースコントローラ
１１２　　ＲＯＭ
１１３　　イメージメモリ
１１４　　ワークＲＡＭ
１２３　　記録ヘッド制御回路
１２４Ｋ　　記録ヘッド（ブラック）
１２４Ｃ　　記録ヘッド（シアン）
１２４Ｍ　　記録ヘッド（マジェンタ）
１２４Ｙ　　記録ヘッド（イエロー）
２０１　　排紙口
３０１　　ブラックメモリ
３０２　　シアンメモリ
３０３　　マジェンタ第１メモリ
３０４　　マジェンタ第２メモリ
３０５　　イエロー第１メモリ
３０６　　イエロー第２メモリ
５０１　　プレヒートパルス
５０２　　ポーズ
５０３　　メインヒートパルス
１１０１　インク受容層
１１０２　基材
１１０３　最初のインク滴
１１０４　重ね打ちのインク滴
１１０５　滲み
１２０１　重ね打ちのインク滴
【図１】
2004142145.tif 000003
【図２】
2004142145.tif 000004
【図３】
2004142145.tif 000005
【図４】
2004142145.tif 000006
【図５】
2004142145.tif 000007
【図６】
2004142145.tif 000008
【図７】
2004142145.tif 000009
【図８】
2004142145.tif 000010
【図９】
2004142145.tif 000011
【図１０】
2004142145.tif 000012
【図１１】
2004142145.tif 000013
【図１２】
2004142145.tif 000014
【図１３】
2004142145.tif 000015
【図１４】
2004142145.tif 000016
【図１５】
2004142145.tif 000017
【図１６】
2004142145.tif 000018
【図１７】
2004142145.tif 000019